(57)【要約】【課題】装着感が良好で、装着状態の確認が容易で、安全性及び汎用性が高い抑制用具である、医療・介護用上下肢安全固定ベルトを提供すること。【解決手段】  帯状形状を呈する本体部１０と係留ベルト５とを有してなる。本体部１０は、一端部１１に設けられた指挿入穴２と、他端部１２における裏側面に設けられた第１ファスナ部と、表側面１３に設けられた第２ファスナ部３２とを有する。係留ベルト５は固定部に締結するための締結部５１を有する。本体部１０の裏側面を使用者の手又は足に対面させてその指を本体部１０の指挿入穴２に挿入し、当該指を起点として本体部１０を手首又は足首に巻き付けて、第１ファスナ部と第２ファスナ部３２とを接合することによって本体部１０を使用者の手又は足に装着し、係留ベルト５の締結部５１を固定部に締結することによって、本体部１０を装着した手又は足の可動域を制限可能である。【選択図】図１
2008302137.tif 000002
【特許請求の範囲】
【請求項１】
帯状形状を呈する本体部と、該本体部に連結された係留ベルトとを有してなり、
上記本体部は、その一端部において表裏に貫通するよう設けられた指挿入穴と、その他端部における裏側面に設けられた第１ファスナ部と、上記指挿入穴と上記第１ファスナ部との間の位置における表側面に設けられ上記第１ファスナ部と接合可能な第２ファスナ部とを有し、
上記係留ベルトは、その先端部にベッド等の固定部に締結するための締結部を有し、
上記本体部の裏側面を使用者の手又は足に対面させてその指を上記本体部の上記指挿入穴に挿入し、当該指を起点として上記本体部を手首又は足首に巻き付けて、上記第１ファスナ部と上記第２ファスナ部とを接合することによって上記本体部を使用者の手又は足に装着し、上記係留ベルトの上記締結部を上記固定部に締結することによって、上記本体部を装着した手又は足の可動域を制限可能に構成されていることを特徴とする医療・介護用上下肢安全固定ベルト。
【請求項２】
請求項１において、上記第１ファスナ部及び上記第２ファスナ部は、互いに重ね合わせることによって接合可能な面ファスナよりなることを特徴とする医療・介護用上下肢安全固定ベルト。
【請求項３】
請求項１又は２において、上記本体部の表側面の上記第２ファスナ部の近傍には該第２ファスナ部の少なくとも一部に重ね合わせ可能なように外れ止め片が設けられており、該外れ止め片の裏側面には、上記本体部の上記他端部の表側面に設けられた第３ファスナ部に接合可能な第４ファスナ部が設けられていることを特徴とする医療・介護用上下肢安全固定ベルト。
【請求項４】
請求項３において、上記第３ファスナ部及び上記第４ファスナ部は、互いに重ね合わせることによって接合可能な面ファスナよりなることを特徴とする医療・介護用上下肢安全固定ベルト。
【請求項５】
請求項１〜４のいずれか１項において、上記係留ベルトの基端部は、上記本体部の上記第２ファスナ部の近傍に連結されていることを特徴とする医療・介護用上下肢安全固定ベルト。
【請求項６】
請求項１〜５のいずれか１項において、上記係留ベルトの上記締結部は、その先端部と途中の部分とにそれぞれ設けた先端止め具及び中間止め具とを有し、上記先端止め具と上記中間止め具とを連結することによって輪状部を形成可能に構成されていることを特徴とする医療・介護用上下肢安全固定ベルト。
【請求項７】
請求項４において、上記先端止め具及び上記中間止め具は、互いに重ね合わせることによって接合可能な面ファスナよりなることを特徴とする医療・介護用上下肢安全固定ベルト。
【請求項８】
請求項７において、上記締結部の先端部には、上記先端止め具と上記中間止め具の重ね合わせ部分の周囲を覆って固定するカバー片が設けられていることを特徴とする医療・介護用上下肢安全固定ベルト。
【発明の詳細な説明】
【技術分野】
【０００１】
本発明は、医療・介護用上下肢安全固定ベルトに関する。
【背景技術】
【０００２】
従来、例えば医療現場では、治療上必要である各種管類（気管挿管チューブ、中心静脈ライン、点滴、胃管、各種ドレーン等）を患者に装着するが、患者の安全の確保とこれらの管理のため、患者の身体の動きをある程度抑制する抑制用具を使用せざるを得ない場合がある。抑制用具は、主として患者の手等に取り付け、患者が種々の管類を自己抜去するのを防止するために用いられる。このような抑制治具としては、四肢用には、帯状、手袋ミトン型、手袋袋型、メガホン型等がある。汎用されているのが手袋ミトン型である（特許文献１〜４参照）。
【０００３】
【特許文献１】特開平８−１３１４６８号公報
【特許文献２】実用新案登録第３０９０６６６号公報
【特許文献３】実用新案登録第３０８９５８８号公報
【特許文献４】特開平１１−４８４３号公報
【発明の開示】
【発明が解決しようとする課題】
【０００４】
しかしながら、この従来の手袋ミトン型は、手首の固定を患者が外し易い、用具の中で手が回転する、中敷のウレタン等の部分は細菌が繁殖し易い、発汗等により臭気がこもり易い、手が蒸れる、着脱に手間がかかる、メッシュ側以外は観察し難い等の多くの問題点がある。また、上記手袋ミトン型以外の従来の抑制用具についても、上記と同様な、或いは異なる様々な問題がある。
【０００５】
このような現状のもと、医療現場に限らず、介護の現場も含めて、患者や被介護者等の使用者にとって拘束感が少なくて装着感が良好で、装着状態の確認が容易で、上肢のみならず下肢にも使用でき、安全性及び汎用性が高い抑制用具の新たな開発が望まれていた。
【０００６】
本発明は、かかる従来の問題点に鑑みてなされたもので、装着感が良好で、装着状態の確認が容易で、上肢のみならず下肢にも使用でき、安全性及び汎用性が高い抑制用具である、医療・介護用上下肢安全固定ベルトを提供しようとするものである。
【課題を解決するための手段】
【０００７】
本発明は、帯状形状を呈する本体部と、該本体部に連結された係留ベルトとを有してなり、
上記本体部は、その一端部において表裏に貫通するよう設けられた指挿入穴と、その他端部における裏側面に設けられた第１ファスナ部と、上記指挿入穴と上記第１ファスナ部との間の位置における表側面に設けられ上記第１ファスナ部と接合可能な第２ファスナ部とを有し、
上記係留ベルトは、その先端部にベッド等の固定部に締結するための締結部を有し、
上記本体部の裏側面を使用者の手又は足に対面させてその指を上記本体部の上記指挿入穴に挿入し、当該指を起点として上記本体部を手首又は足首に巻き付けて、上記第１ファスナ部と上記第２ファスナ部とを接合することによって上記本体部を使用者の手又は足に装着し、上記係留ベルトの上記締結部を上記固定部に締結することによって、上記本体部を装着した手又は足の可動域を制限可能に構成されていることを特徴とする医療・介護用上下肢安全固定ベルトにある（請求項１）。
【０００８】
本発明の医療・介護用上下肢安全固定ベルト（以下、適宜、単に安全固定ベルトという）は、上記のごとく帯状形状の本体部とこれに連結された係留ベルトとを有してなる。そして、ここで注目すべき点は、上記本体部の一端部に上記指貫通穴を備えていると共に、上記第１ファスナ部及び第２ファスナ部を備えている点である。これにより、本発明の安全固定ベルトは、従来の問題を解決し、非常に優れた作用効果を発揮することができる。
【０００９】
すなわち、上記安全固定ベルトの上記本体部を使用者に装着する際には、使用者の手（上肢）又は足（下肢）の指のいずれかを、上記指貫通穴に挿入する。そして、この指を起点として、帯形状の上記本体部を取り扱うことにより、非常に簡単に手首又は足首に巻き付けることが可能である。また、上記本体部を巻き付けた際には、上記本体部の表側面の上記第２ファスナ部と裏側面の上記第１ファスナ部とを接合することによって、上記本体部の装着状態を安定的に保持することができる。
【００１０】
また、上記安全固定ベルトにおける上記本体部を使用者の上肢又は下肢に装着した後においても、使用者のすべての指が解放された状態にあり、これらをほぼ自由に動かすことができ、その触感を損なうこともない。また、上肢又は下肢が上記本体部によって覆われる面積も比較的少ない。そのため、使用者による本体部の装着感が良好で、かつ、装着状態の確認も容易である。
【００１１】
また、上記帯状形状の本体部を採用することにより、左右の区別のない使用ができ、非常に汎用性にも優れている。
そして、上記本体部に連結されている上記係留ベルトをベッド等の固定部に締結することにより、本来の安全固定ベルトとしての役割を確実に果たすことができる。
【００１２】
このように、本発明によれば、装着感が良好で、装着状態の確認が容易で、上肢のみならず下肢にも使用でき、安全性及び汎用性が高い抑制用具である、医療・介護用上下肢安全固定ベルトを提供することができる。
【発明を実施するための最良の形態】
【００１３】
本発明の安全固定ベルトの上記本体部は、上記のごとく、本体部に指挿入穴を設けてある。この指挿入穴には、手又は足の親指１本を挿入することが最も安定的な使用方法であるが、これに代えて、他の指を挿入してもよいし、また指１本に限らず複数本挿入してもよい。いずれの場合も、挿入した指を起点として上記本体部を巻き付けることが可能であり、使用者の最も違和感のない指を選択すればよい。
【００１４】
また、上記本体部の材質は、様々なものを適用可能であるが、肌触りがよく、クッション性、通気性に優れたものが好ましい。
また、上記第１ファスナ部及び上記第２ファスナ部は、互いに重ね合わせることによって接合可能な面ファスナよりなることが好ましい（請求項２）。面ファスナとはマジックテープ（登録商標）等に代表されるものであり、面状に多数設けられた所謂フック部とループ部との係合により接合可能なファスナ部材である。これにより、非常に着脱性がよく、また、装着時においてファスナ部が嵩張らずに違和感が非常に少ないという作用効果を得ることができる。
【００１５】
また、上記本体部の表側面の上記第２ファスナ部の近傍には該第２ファスナ部の少なくとも一部に重ね合わせ可能なように外れ止め片が設けられており、該外れ止め片の裏側面には、上記本体部の上記他端部の表側面に設けられた第３ファスナ部に接合可能な第４ファスナ部が設けられていることが好ましい（請求項３）。
この場合には、上記本体部を手首又は足首に巻き付けて上記第１ファスナ部と上記第２ファスナ部とを接合した後、さらに、上記第２ファスナ部の反対面側に相当する上記本体部の他端部の表側面に設けられた上記第３ファスナ部に対して、上記第４ファスナ部を有する外れ止め片を重ね合わせて接合することができる。これにより、本体部の上記第１ファスナ部と上記第２ファスナ部の接合状態をより強固にすることが可能である。
【００１６】
また、上記第３ファスナ部及び上記第４ファスナ部は、互いに重ね合わせることによって接合可能な面ファスナよりなることが好ましい（請求項４）。この場合も、上記と同様に、非常に着脱性がよく、また、装着時においてファスナ部が嵩張らずに違和感が非常に少ないという作用効果を得ることができる。
【００１７】
また、上記係留ベルトの基端部は、上記本体部の上記第２ファスナ部の近傍に連結されていることが好ましい（請求項５）。上記係留ベルトと上記本体部との連結位置は、特に制限はないが、上記のごとく第２ファスナ部の近傍に位置する場合に、特に違和感の少ない安定した装着性を得やすい傾向にある。
【００１８】
また、上記係留ベルトの上記締結部は、その先端部と途中の部分とにそれぞれ設けた先端止め具及び中間止め具とを有し、上記先端止め具と上記中間止め具とを連結することによって輪状部を形成可能に構成されていることが好ましい（請求項６）。この場合には、例えばベッドの枠材等に巻き付けるように上記輪状部を形成することによって、容易に係留ベルトを固定部に対して締結することができる。
【００１９】
また、上記先端止め具及び上記中間止め具は、互いに重ね合わせることによって接合可能な面ファスナよりなることが好ましい（請求項７）。この場合にも、上記本体部における各ファスナ部の場合と同様に、非常に着脱性がよく、また、装着時においてファスナ部が嵩張らずに違和感が非常に少ないという作用効果を得ることができる。
【００２０】
また、上記締結部の先端部には、上記先端止め具と上記中間止め具の重ね合わせ部分の周囲を覆って固定するカバー片が設けられていることが好ましい（請求項８）。この場合には、上記先端止め具と中間止め具との接合状態を上記カバー片によって補強することができ、係留ベルトが固定部から不用意に外れることを防止することができる。
【実施例】
【００２１】
（実施例１）
本発明の実施例にかかる医療・介護用上下肢安全固定ベルトにつき、図１〜図７を用いて説明する。
図１に示すごとく、本例の安全固定ベルト１は、帯状形状を呈する本体部１０と、該本体部１０に連結された係留ベルト５とを有してなる。
【００２２】
本体部１０は、図１、図２に示すごとく、その一端部１１において表裏に貫通するよう設けられた指挿入穴２と、その他端部１２における裏側面１４に設けられた第１ファスナ部３１と、指挿入穴２と第１ファスナ部３１との間の位置における表側面１３に設けられ第１ファスナ部３１と接合可能な第２ファスナ部３２とを有する。
上記係留ベルト５は、その先端部にベッド等の固定部８（図６）に締結するための締結部５１を有する。
【００２３】
そして、図３〜図７に示すごとく、上記安全固定ベルト１は、本体部１０の裏側面１４を使用者の手９（図４）又は足に対面させてその指９１を本体部１０の指挿入穴２に挿入し、当該指９１を起点として本体部１０を手首又は足首に巻き付けて、第１ファスナ部３１と第２ファスナ部３２とを接合することによって本体部１０を使用者の手９又は足に装着し、係留ベルト５の締結部５１を固定部８に締結することによって、本体部１０を装着した手９又は足の可動域を制限可能に構成されている。
以下、さらに詳説する。
【００２４】
図１、図２に示すごとく、上記本体部１０は、クッション性、通気性、洗濯・乾燥性に優れた特殊機能素材（商品名：フュージョン、旭化成せんい（株）製）を用い、全体形状が帯状形状となるように裁断して縫製したものを用いた。本体部１０の長さは、手首又は足首に１回転巻き付けるのに適した長さを想定して、本例では約３０ｃｍにしてある。この全体長さ寸法は、例えばＬサイズ、Ｍサイズ等、複数種類の寸法規格を設けて適宜変更することができる。また、本体部１０の形状は、左右対称とし、装着する手又は足の左右の区別を必要としない形状とした。
【００２５】
本体部１０の一端部１１に設けた指挿入穴２は、本例では、手の親指の付け根部分まで挿入できることを想定して、真円相当で約３ｃｍの内径の貫通穴となるように設けた。この指挿入穴２の内径寸法についても、複数種類の寸法規格を設けて適宜変更することができる。
また、上記指挿入穴２の周縁部のうち、端部側周縁部２２の幅は、できる限り装着時の違和感がないように、比較的狭い幅に設定してある。
【００２６】
また、本体部１０に設けた上記第１ファスナ部３１（図２）及び第２ファスナ部３２としては、互いに重ね合わせることによって接合可能な面ファスナであるマジックテープ（登録商標）を採用し、縫製により本体部１０に配設した。
さらに、本例では、図１に示すごとく、本体部１０の表側面１３の第２ファスナ部３２の近傍には、第２ファスナ部３２の少なくとも一部に重ね合わせ可能なように外れ止め片４が設けられており、該外れ止め片４の裏側面には、本体部１０の上記他端部１２の表側面１３に設けられた第３ファスナ部３３に接合可能な第４ファスナ部３４が設けられている。これらの第３ファスナ部３３及び第４ファスナ部３４も、互いに重ね合わせることによって接合可能な面ファスナであるマジックテープ（登録商標）を採用し、縫製により本体部１０及び外れ止め片４に配設した。
【００２７】
また、図１に示すごとく、上記係留ベルト５の基端部５０は、本体部１０の第２ファスナ部３２の近傍に縫製により連結されている。また、係留ベルト５の上記締結部５１は、その先端部と途中の部分とにそれぞれ設けた先端止め具５１１及び中間止め具５１２とを有し、先端止め具５１１と中間止め具５１２とを連結することによって輪状部を形成可能に構成されている。上記先端止め具５１１及び中間止め具５１２は、互いに重ね合わせることによって接合可能な面ファスナであるマジックテープ（登録商標）を採用し、縫製により係留ベルト５に配設した。
【００２８】
また、同図に示すごとく、締結部５１の先端部には、上記先端止め具５１１と中間止め具５１２の重ね合わせ部分の周囲を覆って固定するカバー片５２が設けられている。そして、カバー片５２は、先端止め具５１１と中間止め具５１２の重ね合わせ部分の周囲に巻回し、２組のホック５２１、５２２を止めることができるように構成されている。
本例では、係留ベルト５の長さは、上記基端部５０から先端部までの長さを約７５ｃｍとした。この長さは限定されるものではない。
【００２９】
次に、上記安全固定ベルト１の使用例について、図３〜図７を用いて説明する。
安全固定ベルト１を使用するに当たっては、まず、図３に示すごとく、本体部１０の裏側面１４を使用者の手９に対面させて、その親指９１を本体部１０の指挿入穴２に挿入する。
次いで、図４に示すごとく、当該親指９１を起点として本体部１０を手首に巻き付けて、第１ファスナ部３１（図２）と第２ファスナ部３２とを接合することによって本体部１０を使用者の手９に装着する。
【００３０】
この状態において、本体部１０の他端部１２の表側面には、上記のごとく第３ファスナ部３１が配設されているので、これがちょうど表側を向いて第２ファスナ部３２の上方に重ね合わさった状態となっている。そこで、本例では、図５に示すごとく、外れ止め片４を本体部１０の第３ファスナ部３３に重ね合わせる。
【００３１】
次いで、図６に示すごとく、係留ベルト５の締結部５１をベッドの柵部の支柱である固定部８に締結する（固定部８は、ベッドの梁部８２（図６）やその他の安定した部位に変えることができる。）。
具体的には、係留ベルト５の締結部５１を、固定部８を内部に収めた状態で輪状部を形成して、面ファスナである先端止め具５１１と中間止め具５１２とを互いに重ね合わせることによって接合する。
さらに、図７に示すごとく、カバー片５２により、先端止め具５１１と中間止め具５１２の重ね合わせ部分の周囲を覆って巻回し、２組のホック５２１、５２２を止めて固定する。これにより、一連の装着作業が完了する。
【００３２】
以上のように安全固定ベルト１を使用することにより、上記右手９の可動域を制限することができ、医療、介護の場面において非常に有効である。
すなわち、上記のごとく、指挿入穴９１を有する帯状形状の本体部１０を採用することにより、指挿入穴９１に挿入した指を起点として、非常に簡単に手首に巻き付けることが可能である。また、本体部１０を巻き付けた際には、本体部１０の表側面１３の第２ファスナ部３２と裏側面１４の第１ファスナ部３１とを接合することによって、本体部１０の装着状態を安定的に保持することができる。さらに本例においては、外れ止め片４を用いてその第４ファスナ部３４を第３ファスナ部３３に接合することによって、第１ファスナ部３１と第２ファスナ部３２との接合状態を補強することができる。
【００３３】
また、安全固定ベルト１における本体部１０を使用者の手９に装着した後においても、使用者のすべての指が解放された状態にあり、これらをほぼ自由に動かすことができ、その触感を損なうこともない。また、手９が本体部１０によって覆われる面積も比較的少ないので、使用者による本体部１０の装着感が良好で、かつ、装着状態の確認も容易である。
【００３４】
また、帯状形状の本体部１０を採用することにより、左右の区別のない使用ができ、非常に汎用性にも優れている。
なお、本例では、左手９に本体部１０を装着した例を示したが、右手あるいは左右のいずれかの足に本体部１０を装着して使用することもできる。
【００３５】
（実施例２）
本例は、図８、図９に示すごとく、実施例１における安全固定ベルト１と同じ本体部１０を採用し、係留ベルト５のみを異なる構成のものに変更した例である。
すなわち、同図に示すごとく、本例の係留ベルト５における締結部５５は、爪部を有する雄部材５５１と、爪部を収容して係合する雌部材５５２とよりなる樹脂製のバックル部材である。そして、係留ベルト５の先端部に設けた先端止め具として上記雄部材５５１を採用し、係留ベルト５の途中の部分に設けた中間止め具として上記雌部材５５２を採用した。その他は、実施例１と同様である。
【００３６】
この場合には、図８に示すごとく、雄部材５５１と雌部材５５２とを係合させていない状態として、先端部の雄部材５５１を固定部に巻回し、次いで、図９に示すごとく、雄部材５５１と雌部材５５２とを係合することにより、締結部５５として機能させることができる。その他は、実施例１と同様の作用効果が得られる。
【図面の簡単な説明】
【００３７】
【図１】実施例１における、安全固定ベルトの構成を示す説明図。
【図２】実施例１における、本体部の裏側面を示す説明図。
【図３】実施例１における、本体部の指挿入穴に左手の親指を挿入した状態を示す説明図。
【図４】実施例１における、本体部を手首に巻回して第１ファスナ部と第２ファスナ部とを接合した状態を示す説明図。
【図５】実施例１における、外れ防止片の第４ファスナ部と本体部の第３ファスナ部とを接合した状態を示す説明図。
【図６】実施例１における、係留ベルトの締結部を固定部に締結させて先端止め具と中間止め具とを連結した状態を示す説明図。
【図７】実施例１における、係留ベルトの先端止め具と中間止め具の重ね合わせ部分をカバー片によって覆って固定した状態を示す説明図。
【図８】実施例２における、係留ベルトの締結部の構成を示す説明図。
【図９】実施例２における、係留ベルトの先端止め具と中間止め具とを連結した状態を示す説明図。
【符号の説明】
【００３８】
１  医療・介護用上下肢安全固定ベルト
１０  本体部
１１  一端部
１２  他端部
１３  表側面
１４  裏側面
２  指挿入穴
３１  第１ファスナ部
３２  第２ファスナ部
３３  第３ファスナ部
３４  第４ファスナ部
４  外れ防止片
５  係留ベルト
５１  締結部
５２  カバー片
５１１  先端止め具
５１２  中間止め具
８  固定部
９  手
９１  親指
【図１】
2008302137.tif 000003
【図２】
2008302137.tif 000004
【図３】
2008302137.tif 000005
【図４】
2008302137.tif 000006
【図５】
2008302137.tif 000007
【図６】
2008302137.tif 000008
【図７】
2008302137.tif 000009
【図８】
2008302137.tif 000010
【図９】
2008302137.tif 000011